(57)【要約】【課題】特定の深さにいる魚に対して有効に撒き餌を行うことができる天秤仕掛けを提供する。【解決手段】道糸Ｌ１と仕掛け糸Ｌ２との間に配設され屈曲または湾曲して延びる線状部材２と、線状部材２に取付けられる餌カゴ３と、を備える天秤仕掛け１であって、餌カゴ３は、線状部材２における仕掛け糸Ｌ２側を取り囲むように固定されている。【選択図】図３
2019193580.tif 000002
【特許請求の範囲】
【請求項１】
道糸と仕掛け糸との間に配設され屈曲または湾曲して延びる線状部材と、前記線状部材に取付けられる餌カゴと、を備える天秤仕掛けであって、
前記餌カゴは、前記線状部材における前記仕掛け糸側を取り囲むように固定されていることを特徴とする天秤仕掛け。
【請求項２】
前記餌カゴの両端が前記線状部材により連結されていることを特徴とする請求項１に記載の天秤仕掛け。
【請求項３】
前記線状部材の道糸側には、錘が設けられていることを特徴とする請求項１または２に記載の天秤仕掛け。
【請求項４】
一端に前記仕掛け糸が接続される線状のクッションゴムを備えており、前記クッションゴムの他端は、前記餌カゴを通って前記線状部材における該餌カゴよりも前記道糸側に固定されていることを特徴とする請求項１ないし３のいずれかに記載の天秤仕掛け。
【請求項５】
前記クッションゴムは、少なくとも前記餌カゴを貫通して延びる筒状部材の内側に挿通されていることを特徴とする請求項４に記載の天秤仕掛け。
【発明の詳細な説明】
【技術分野】
【０００１】
本発明は、魚釣りに使用される天秤仕掛けに関する。
【背景技術】
【０００２】
従来から仕掛けに餌カゴを取付け、餌カゴから撒き餌をして魚を誘いながら釣りを行う釣り方がある。このような釣り方において、例えば、特許文献１に示されるような天秤仕掛けが使用されている。特許文献１の天秤仕掛けは、金属製の線材を折り曲げて略Ｌ字状に形成されており、道糸に接続される垂直部と、仕掛け糸が接続される腕部と、を備えている。垂直部の下方には、餌カゴが揺動可能に取付けられており、仕掛けの周辺に撒き餌を行うことができるようになっているとともに、道糸及び餌カゴと仕掛け糸とがずれて接続されるため、仕掛けの投入時や引き上げ時等に道糸及び餌カゴと仕掛け糸とが絡みにくくなっている。
【０００３】
餌カゴを用いて撒き餌を行う際には、道糸を引き上げる所謂しゃくり動作を行う必要がある。特許文献１の天秤仕掛けにあっては、略Ｌ字形状に形成されていることから、しゃくり動作を行うと、腕部に水圧抵抗が掛かることにより天秤仕掛けが傾きながら上方に動作するようになる。すなわち、しゃくり動作を行うと、垂直部の下方に取付けられる餌カゴは上下方向に移動し、腕部に取付けられる仕掛け糸は左右方向に移動するようになる。
【先行技術文献】
【特許文献】
【０００４】
【特許文献１】特開２００９−１７１８９７号公報（第３頁、第１図）
【発明の概要】
【発明が解決しようとする課題】
【０００５】
特許文献１に示される天秤仕掛けにあっては、餌カゴが上下方向に移動して餌が上下方向の広い範囲で拡散されるため、広い範囲の深さにいる魚を狙う際には有効であるが、特定の深さにいる魚を狙う場合には餌が分散されるため、撒き餌の効果が小さいという問題があった。
【０００６】
本発明は、このような問題点に着目してなされたもので、特定の深さにいる魚に対して有効に撒き餌を行うことができる天秤仕掛けを提供することを目的とする。
【課題を解決するための手段】
【０００７】
前記課題を解決するために、本発明の天秤仕掛けは、
道糸と仕掛け糸との間に配設され屈曲または湾曲して延びる線状部材と、前記線状部材に取付けられる餌カゴと、を備える天秤仕掛けであって、
前記餌カゴは、前記線状部材における前記仕掛け糸側を取り囲むように固定されていることを特徴としている。
この特徴によれば、線状部材の仕掛け糸側を取り囲むように餌カゴが固定されているので、しゃくり動作を行ったときに、餌カゴと仕掛け糸とが略同一方向に動き、しゃくり動作により餌カゴ内の餌を仕掛け糸に集中して撒くことができるため、特定の深さにいる魚に対して有効に撒き餌を行うことができる。
【０００８】
前記餌カゴの両端が前記線状部材により連結されていることを特徴としている。
この特徴によれば、線状部材により餌カゴを補強することができる。
【０００９】
前記線状部材の道糸側には、錘が設けられていることを特徴としている。
この特徴によれば、線状部材の道糸側と仕掛け糸側が、餌カゴの重量と錘の重量とでバランスされるため、線状部材を適正な傾きで維持できる。
【００１０】
一端に前記仕掛け糸が接続される線状のクッションゴムを備えており、前記クッションゴムの他端は、前記餌カゴを通って前記線状部材における該餌カゴよりも前記道糸側に固定されていることを特徴としている。
この特徴によれば、クッションゴムの他端を線状部材における餌カゴよりも道糸側に固定することで、クッションゴムの長さを確保しつつ、仕掛け糸が接続されるクッションゴムの一端を餌カゴに近付けて配置することができる。また、クッションゴムは、餌カゴを通るため、クッションゴムを直線的に配置することができる。
【００１１】
前記クッションゴムは、少なくとも前記餌カゴを貫通して延びる筒状部材の内側に挿通されていることを特徴としている。
この特徴によれば、筒状部材にガイドされるため、クッションゴムの伸縮を安定させることができる。
【図面の簡単な説明】
【００１２】
【図１】実施例１における天秤仕掛けを示す正面図である。
【図２】実施例１における天秤仕掛けにおける餌カゴを一部破断した部分正面図である。
【図３】（ａ），（ｂ）は、実施例１における天秤仕掛けを用いて行う撒き餌を模式的に示す正面図である。
【図４】（ａ），（ｂ）は、従来の天秤仕掛けを用いて行う撒き餌を模式的に示す正面図である。
【図５】（ａ），（ｂ）は、実施例１におけるクッションゴムの伸縮を示す部分正面図である。
【図６】実施例２における天秤仕掛けを示す正面図である。
【図７】（ａ）は、実施例３における天秤仕掛けを示す正面図であり、（ｂ）は、実施例３における天秤仕掛けを示すＡ矢視図である。
【図８】（ａ），（ｂ）は、実施例３における天秤仕掛けのヨーイングを模式的に示すＢ矢視図である。
【図９】実施例４における天秤仕掛けを示す正面図である。
【発明を実施するための形態】
【００１３】
本発明に係る天秤仕掛けを実施するための形態を実施例に基づいて以下に説明する。
【実施例１】
【００１４】
実施例１に係る天秤仕掛けにつき、図１から図５を参照して説明する。以下、図１の紙面手前側を天秤仕掛けの正面側（前方側）とし、正面側から見たときの上下左右方向を基準として説明する。尚、図２においては、餌カゴの内部が解かりやすいように一部破断して図示している。
【００１５】
天秤仕掛け１は、撒き餌をして、魚を誘いながら釣りを行う釣り方に用いられる釣り具であり、釣竿から延びる道糸Ｌ１と複数の針１０を有する仕掛け糸Ｌ２との間に接続される。図１に示されるように、天秤仕掛け１は、円弧状に湾曲する線状部材２と、線状部材２に沿って固定されるクッションゴム部５と、線状部材２及びクッションゴム部５の仕掛け糸Ｌ２側（右端側）の一部を取り囲むように固定される餌カゴ３と、天秤仕掛け１を道糸Ｌ１に吊下した状態において該道糸Ｌ１の下方に配置される錘４と、から主に構成されている。
【００１６】
線状部材２は、ステンレスやアルミ等の金属製の線材が円弧状に湾曲して形成されている。尚、本実施例では、線状部材２を金属製の線材を湾曲させることで形成する形態を例示したが、金型を用いた鋳造加工により形成されてもよいし、樹脂材の型抜き成形により形成されてもよい。
【００１７】
また、線状部材２の道糸Ｌ１側の端部２ａと、仕掛け糸Ｌ２側の端部２ｂとは、環状に折り曲げられている。尚、本実施例では、道糸Ｌ１が線状部材２の端部２ａに接続され、仕掛け糸Ｌ２が線状部材２の端部２ｂの近傍に配置される後述するクッションゴム５０の端部５０ｂに接続される形態、つまり線状部材２の端部２ｂを使用しない形態を例示する。このように、道糸Ｌ１と仕掛け糸Ｌ２とは、天秤仕掛け１により左右方向にずれて接続される。
【００１８】
線状部材２における端部２ａ寄りの略中央部には、線状部材２に挿通された規制部材２０，２０が互いに離間されて固定されており、規制部材２０，２０の間には、錘４が接続される接続体６と、クッションゴム部５におけるクッションゴム５０の端部５０ａが接続される接続体７と、が取付けられている。尚、本実施例における接続体６，７は、周知のサルカンである。
【００１９】
図１及び図２に示されるように、餌カゴ３は、ステンレスやアルミなどの金属製の複数の骨子と、該骨子間に張設される網状部材によって立体的に構成されており、内部にアミエビやオキアミ等の餌Ｂ（図３（ｂ）参照）を保持できるようになっている。本実施例における餌カゴ３は、左方向（道糸Ｌ１側）に突出する端部３ａと、右方向（仕掛け糸Ｌ２側）に突出する端部３ｂと、を有して略レモン形状の立体構造を成している。尚、餌カゴ３の形状は、餌Ｂを保持できるものであれば、自由に変更することができ、例えば、円筒形状、矩形状、球形状等の立体構造を成していてもよい。
【００２０】
餌カゴ３には、線状部材２が該餌カゴ３の略中心を通って左右方向に貫通しており、端部３ａと端部３ｂとが該線状部材２の仕掛け糸Ｌ２側（端部２ｂ側）に溶接固定されている。すなわち、餌カゴ３は、線状部材２の仕掛け糸Ｌ２側を取り囲むように固定されており、且つ餌カゴ３の端部３ａと端部３ｂとが線状部材２により連結されている。
【００２１】
また、線状部材２は、餌カゴ３の端部３ａと端部３ｂとの間を繋ぐ梁材の役割を果たしているため、餌カゴ３が補強されている。また、餌カゴ３は、餌Ｂ（図３（ｂ）参照）を入れるための図示しない開閉扉を備えている。尚、本実施例では、餌カゴ３が線状部材２に溶接固定されていたが、これに限られず、餌カゴ３が線状部材２に対しネジなどにより着脱可能に取付けられていてもよい。
【００２２】
錘４は、鉛やタングステン等によって形成されたものである。天秤仕掛け１を道糸Ｌ１に吊下した状態にあっては、錘４が道糸Ｌ１（端部２ａ）の略直下に配置され、餌カゴ３が錘４よりも右側にずれて配置される。すなわち、天秤仕掛け１を道糸Ｌ１に吊下した状態において、線状部材２の道糸Ｌ１側（端部２ａ側）と仕掛け糸Ｌ２側（端部２ｂ側）が、錘４の重量と餌カゴ３の重量とでバランスされるため、線状部材２を適切な傾きで維持できる（特に図１の白矢印参照）。
【００２３】
また、錘４は、接続体６に対して糸１１を介して着脱可能に取付けられている。すなわち、餌カゴ３の重量に応じて錘４を適宜変更できるので、線状部材２の傾き調整を行いやすい。尚、錘４は、線状部材２に対して着脱可能に取付けられるものであれば、錘４の取付形態は自由に変更できる。
【００２４】
クッションゴム部５は、ゴム製の線材で形成されたクッションゴム５０と、クッションゴム５０が挿通される筒状のチューブ５１（筒状部材）と、から構成されており、クッションゴム５０及びチューブ５１は線状部材２に沿って配置され、クッションゴム５０及びチューブ５１の仕掛け糸Ｌ２側は、餌カゴ３を貫通している。
【００２５】
また、クッションゴム５０の両端部５０ａ，５０ｂは、クッションゴム５０が長尺方向に引き延ばされていない状態においてチューブ５１の両端部から突出している。すなわち、クッションゴム５０は、チューブ５１よりも軸方向に長寸である。
【００２６】
また、クッションゴム５０の左側の端部５０ａ（他端）は、上述した接続体７に接続されており、クッションゴム５０の右側の端部５０ｂ（一端）には、サルカン１２を介して仕掛け糸Ｌ２が取付けられている。すなわち、クッションゴム５０の左側の端部５０ａ（他端）は、線状部材２における餌カゴ３よりも道糸Ｌ１側に固定されている。
【００２７】
このように、クッションゴム５０の左側の端部５０ａを線状部材２における餌カゴ３よりも道糸Ｌ１側に固定することで、クッションゴム５０の長さ（クッションゴム５０の伸縮代）を確保しつつ、仕掛け糸Ｌ２が接続されるクッションゴム５０の右側の端部５０ｂを餌カゴ３に近付けて配置することができる（端部５０ｂ及びサルカン１２を餌カゴ３の端部３ｂに近付けて配置できる）。また、クッションゴム５０は、餌カゴ３を通るため、餌カゴ３の外面に沿って配置する場合に比べて、クッションゴム５０を直線的に配置することができる。
【００２８】
また、クッションゴム５０は、餌カゴ３を貫通して延びるチューブ５１の内側に配置されているため、チューブ５１にガイドされてクッションゴム５０の伸縮動作が安定する。詳しくは、クッションゴム５０が餌カゴ３内の餌Ｂに直接接触しないため、クッションゴム５０の伸縮動作が餌Ｂにより阻害されることを防止できる。
【００２９】
次に、天秤仕掛け１を用いて行う撒き餌について図３を参照して概略的に説明する。尚、図３において、餌カゴ３内には、餌カゴ３の網目よりも小さいアミエビやオキアミ等の餌Ｂが補充されているものとする。
【００３０】
図３（ａ）に示されるように、先ず、天秤仕掛け１を道糸Ｌ１と仕掛け糸Ｌ２との間に接続した状態で海中に投入し、所望の深さまで降下させる。このとき、道糸Ｌ１と仕掛け糸Ｌ２とは、天秤仕掛け１により左右方向にずれて接続されているため、道糸Ｌ１と仕掛け糸Ｌ２とが絡まることが抑制される。
【００３１】
次に、図３（ｂ）に示されるように、しゃくり動作を行うことで線状部材２の端部２ａが道糸Ｌ１によって引き上げられる。このとき、線状部材２の端部２ｂ側（線状部材２における略水平方向に延びる部分）、及び餌カゴ３には、水の抵抗が作用するため、天秤仕掛け１が線状部材２の端部２ａを中心として正面視反時計回りに回動（傾き）しながら上方に引き上げられる。すなわち、線状部材２の端部２ａ側（線状部材２における略垂直方向に延びる部分）は、左右方向よりも上下方向に大きく動き、線状部材２の端部２ｂ側は、上下方向よりも左右方向に大きく動くようになる。尚、線状部材２は、餌カゴ３の端部３ａと端部３ｂとの間を繋ぐ梁材として機能しているため、餌カゴ３に水の抵抗が作用しても餌カゴ３が破損することを防止できる。
【００３２】
仕掛け糸Ｌ２と餌カゴ３とは、線状部材２の端部２ｂ側に近付けて配設されているため、しゃくり動作時に略同一方向（左右方向）に移動するようになる。したがって、しゃくり動作を行うと、餌Ｂが餌カゴ３の網目をすり抜けることによって略水平方向に撒き餌がなされ、仕掛け糸Ｌ２が餌カゴ３と同様に略水平方向へと移動し、撒き餌された領域内に引き込まれることとなる。
【００３３】
しゃくり動作後には、天秤仕掛け１がしゃくり動作前の位置に戻されるが、所望の深さ（天秤仕掛け１が投入される深さ）の範囲内において、水流の影響を受けながら沈降または浮遊する餌Ｂと共に、仕掛け糸Ｌ２についても水流の影響を受けながら沈降または浮遊することから、所望の深さにおいて、仕掛け糸Ｌ２の周囲に効率よく撒き餌を行うことができる。
【００３４】
ここで、従来の天秤仕掛け１０１を用いて撒き餌を行う方法について図４を参照して概略的に説明する。尚、本発明の天秤仕掛け１と重複する説明については省略する。図４（ａ）に示されるように、従来の天秤仕掛け１０１は、規制部材２０，２０の間に餌カゴ１０３が吊支されており、線状部材１０２の右側の端部１０２ｂに仕掛け糸Ｌ２が取付けられている。
【００３５】
次に、図４（ｂ）に示されるように、しゃくり動作を行うことで左側の端部１０２ａの略鉛直下方に配置された餌カゴ３も略鉛直上方に引き上げられる。これによって、餌Ｂが餌カゴ３の網目をすり抜けることによって略鉛直方向へ撒き餌がなされる。一方で、仕掛け糸Ｌ２は略水平方向（左右方向）へと移動し、撒き餌がなされた領域と仕掛け糸Ｌ２の位置が左右方向に離間していることから、撒き餌がなされた領域内に仕掛け糸Ｌ２を引き込みにくい。
【００３６】
しゃくり動作後に天秤仕掛け１０１がしゃくり動作前の位置に戻されたときに、水流により仕掛け糸Ｌ２側に餌Ｂが流れたとしても、餌Ｂは上下方向（深さ方向）の広い範囲に拡散されているため、仕掛け糸Ｌ２側に撒き餌される餌Ｂの量が少量となる。このように、本実施例１の天秤仕掛け１の方が、仕掛け糸Ｌ２の周囲に効率よく撒き餌を行うことができることがわかる。
【００３７】
図５（ａ）に示されるように、クッションゴム部５は、例えば魚が仕掛け糸Ｌ２に掛かっていない状態では、クッションゴム５０の端部５０ｂが線状部材２の端部２ｂの近傍に配置されている。
【００３８】
一方で、図５（ｂ）に示されるように、クッションゴム部５は、例えば魚が仕掛け糸Ｌ２に掛かった状態では、クッションゴム５０が伸長方向へ引張され、クッションゴム５０の端部５０ｂが線状部材２の端部２ｂから離間する。そのため、魚が仕掛け糸Ｌ２に掛かったときに、クッションゴム５０により魚の引張力が緩衝され仕掛け糸Ｌ２が切れることが抑制される。
【００３９】
また、クッションゴム５０は、伸長したときにチューブ５１にガイドされる。また、仕掛け糸Ｌ２に作用していた力が解除された際にも、チューブ５１にガイドされながら収縮するようになる。すなわち、クッションゴム５０の伸縮を安定させることができる。
【００４０】
また、クッションゴム５０は、線状部材２に沿って略直線的に配置されていることから、クッションゴム５０の伸縮において、クッションゴム５０全体に略均一に力が作用するため、クッションゴム５０が長持ちしやすい。
【実施例２】
【００４１】
次に、実施例２に係る天秤仕掛けにつき、図６を参照して説明する。尚、前記実施例と同一構成で重複する構成の説明を省略する。
【００４２】
図６に示されるように、本実施例２の天秤仕掛け２０１は、規制部材２０，２０の略中央部を略９０折り曲げることにより正面視略Ｌ字形状の線状部材２０２が形成されており、端部２０２ａから垂直下方に延びる垂直部２０２Ａと、垂直部２０２Ａの下端から水平（右方）に延びる水平部２０２Ｂと、を備えている。線状部材２０２の端部２０２ａには、道糸Ｌ１が、線状部材２０２の端部２０２ｂに仕掛け糸Ｌ２がそれぞれ接続されている。この態様であっても、前記実施例１と同様に、仕掛け糸Ｌ２の周囲に効率よく撒き餌を行うことができる。
【実施例３】
【００４３】
次に、実施例３に係る天秤仕掛けにつき、図７及び図８を参照して説明する。尚、前記実施例と同一構成で重複する構成の説明を省略する。
【００４４】
図７に示されるように、本実施例３の天秤仕掛け３０１は、餌カゴ３の下端部に沿って下方に突出するように取付けられたフィン８を備えており、フィン８は、線状部材２の端部２ａ側から端部２ｂ側に向けて上下幅が拡大するとともに、前後方向に板厚方向が向く板状部材から構成されている。
【００４５】
これによれば、図８に示されるように、例えば、道糸Ｌ１側から仕掛け糸Ｌ２側に向けて、かつフィン８の前後面に対して斜めに交差する方向に水流（黒矢印）が発生した際には、フィン８が水流に押されることで天秤仕掛け３０１が線状部材２の端部２ａを中心としてヨーイングし、水流に沿って天秤仕掛け３０１の姿勢を制御することができる。
【００４６】
これに応じて、仕掛け糸Ｌ２も水流に沿って配置されることから、餌カゴ３と仕掛け糸Ｌ２とを水流に沿って略直線上に配置することができる。これにより、撒き餌を行った際に、仕掛け糸Ｌ２方向に餌Ｂを散布できるため、仕掛け糸Ｌ２の周囲に確実に撒き餌を行うことができる。尚、ヨーイングとは、上下方向の軸（道糸Ｌ１の軸）を中心として揺動することである。
【００４７】
また、フィン８における上下方向の短辺８ａが水流の上流側に配置されるため、水流に対する受圧面を小さくして、水流による抵抗を小さくすることができ、天秤仕掛け３０１の姿勢を保持することができる。尚、短辺８ａを線状部材２の端部２ａ側に向けて先細りするように形成し、水流による抵抗をさらに小さくするようにしてもよい。
【実施例４】
【００４８】
次に、実施例４に係る天秤仕掛けにつき、図９を参照して説明する。尚、前記実施例と同一構成で重複する構成の説明を省略する。
【００４９】
図９に示されるように、本実施例４の天秤仕掛け４０１は、前記実施例１、３で説明したクッションゴム部５の代わりに、バネ９が取付けられている。バネ９は、引きバネであり、一端が線状部材２の端部２ｂに接続され、他端が仕掛け糸Ｌ２に接続されている。これによれば、魚が仕掛け糸Ｌ２に掛かったときに、バネ９が伸長して魚の引張力が緩衝され仕掛け糸Ｌ２が切れることが抑制される。
【００５０】
以上、本発明の実施例を図面により説明してきたが、具体的な構成はこれら実施例に限られるものではなく、本発明の要旨を逸脱しない範囲における変更や追加があっても本発明に含まれる。
【００５１】
例えば、前記実施例では、餌カゴ３の端部３ａと端部３ｂとが線状部材２により連結されている形態を例示したが、これに限られず、線状部材２は、餌カゴ３の端部３ａと端部３ｂとの間で分断されていてもよい。また、線状部材２は、餌カゴ３の略中心を通っている形態を例示したが、餌カゴ３の中心軸よりも径方向にずれた位置を通っていてもよい。
【００５２】
また、線状部材の曲率や長さは自由に変更することができる。また、錘４やクッションゴム５０の端部５０ａは、線状部材２に溶接固定されていてもよい。
【符号の説明】
【００５３】
１                天秤仕掛け
２                線状部材
３                餌カゴ
４                錘
５０              クッションゴム
５１              チューブ（筒状部材）
２０１            天秤仕掛け
２０２            線状部材
３０１，４０１    天秤仕掛け
Ｂ                餌
Ｌ１              道糸
Ｌ２              仕掛け糸
【図１】
2019193580.tif 000003
【図２】
2019193580.tif 000004
【図３】
2019193580.tif 000005
【図４】
2019193580.tif 000006
【図５】
2019193580.tif 000007
【図６】
2019193580.tif 000008
【図７】
2019193580.tif 000009
【図８】
2019193580.tif 000010
【図９】
2019193580.tif 000011